(57)【要約】
【課題】足により木琴又は鉄琴を演奏することのできる鍵盤演奏用履物及び足用打楽器を提供する。
【解決手段】履物本体４１と、履物本体４１の先端に設けられたマレット４２とからなる鍵盤演奏用履物４０である。マレット４２は、弾性変形可能な軸部４２ｂと、軸部４２ｂの先端に設けられた球部４２ａとからなる。マレット４２は、軸部４２ｂの後端を、履物本体４１に固定された取り付け具４３に螺合することにより、着脱可能に設けられている。
【選択図】図１
0003100504.tif 000002
【実用新案登録請求の範囲】
【請求項１】
　履物本体と、該履物本体の先端に設けられたマレットとからなることを特徴とする鍵盤演奏用履物。
【請求項２】
　前記マレットは、前記履物本体から突出する軸部と、該軸部の先端に設けられた球部とからなり、該軸部は弾性変形可能なものであることを特徴とする請求項１記載の鍵盤演奏用履物。
【請求項３】
　前記マレットは前記履物本体に着脱可能に設けられていることを特徴とする請求項１又は２記載の鍵盤演奏用履物。
【請求項４】
　木琴又は鉄琴の鍵盤と、履物本体の先端に該鍵盤を叩き得るマレットが設けられてなる鍵盤演奏用履物とを備えたことを特徴とする足用打楽器。
【請求項５】
　前記マレットが上下して前記鍵盤を叩くように前記鍵盤演奏用履物を揺動可能に支持するフレームを備えていることを特徴とする請求項４記載の足用打楽器。
【請求項６】
　前記鍵盤演奏用履物は両側面に貫通する貫通孔を有し、前記フレームは該貫通孔内に挿通される軸棒を有することを特徴とする請求項５記載の足用打楽器。
【請求項７】
　前記フレームは前記鍵盤に着脱可能に設けられていることを特徴とする請求項４乃至６のいずれか１項記載の足用打楽器。
【考案の詳細な説明】
【技術分野】
【０００１】
　本考案は鍵盤演奏用履物及び足用打楽器に関する。
【背景技術】
【０００２】
　従来、木琴又は鉄琴の鍵盤は手に持ったマレットにより叩かれていた。また、特許文献１に木琴を含む打楽器の発音体用の演奏具が提案されてはいるが、この演奏具は手による演奏を補助するものであり、やはり手による演奏が前提となっていた。
【０００３】
【特許文献１】特開平１０−２１４０８１
【考案の開示】
【考案が解決しようとする課題】
【０００４】
　しかし、通常のように手に持ったマレット又は特許文献１記載の演奏具により木琴又は鉄琴の鍵盤を叩いたのでは、別の楽器を手で演奏することができない。この点、足により木琴等を演奏することができれば、演奏できる楽器の数が増え、１人であっても合奏を楽しむことができる。また、そうであれば、手が不自由な人であっても、手を全く使用することなく、木琴等を演奏することができる。
【０００５】
　本考案は、上記従来の実情に鑑みてなされたものであって、足により木琴又は鉄琴を演奏することのできる鍵盤演奏用履物及び足用打楽器を提供することを解決すべき課題としている。
【課題を解決するための手段】
【０００６】
　第一考案の鍵盤演奏用履物は、履物本体と、該履物本体の先端に設けられたマレットとからなることを特徴とする。
【０００７】
　第一考案の鍵盤演奏用履物では、履物本体を履き、足の踵を支点としてつま先を上下に動かせば、履物本体の先端に設けられたマレットを上下に動かすことができる。そのため、木琴又は鉄琴を用意して、足の動きに合わせてマレットがそれら木琴又は鉄琴の鍵盤を叩くようにすれば、手を使用することなくそれら木琴又は鉄琴を演奏することができる。なお、本考案の鍵盤演奏用履物により太鼓等を叩くことも可能であるが、この鍵盤演奏用履物は木琴又は鉄琴を演奏する場合に最も適している。
【０００８】
　したがって、第一考案の鍵盤演奏用履物によれば、足により木琴又は鉄琴を演奏することができる。そのため、この鍵盤演奏用履物により、１人であっても合奏を楽しむことができる。また、この鍵盤演奏用履物により、手が不自由な人であっても、手を全く使用することなく木琴又は鉄琴を演奏することができる。
【０００９】
　履物本体とは、人が足に履くことのできる通常の履物をいう。例えば、サンダル、スリッパ、くつ、げた等である。サンダルやスリッパ形状の履物本体を採用することが、足への着脱が容易である点で好ましい。また、マレットはそのような履物本体から突出する軸部と、その軸部の先端に設けられた球部とからなる。軸部は弾性変形可能なものであることが好ましい。マレットの軸部が弾性変形可能であれば、少しの足の動きで球部が上下に大きく動くため、鍵盤を叩きやすい。また、こうであれば、球部が鍵盤を弾くように叩くため、非常によい音色を出すことができる。
【００１０】
　また、マレットは履物本体に着脱可能に設けられていることが好ましい。こうであれば、履物本体からマレットを取り外すことにより、鍵盤演奏用履物を通常の履物として使用することができる。そして、取り外したマレットを手に持って、これにより木琴等を演奏することができる。また、こうであれば、球部の材質、大きさ等の異なる種々のマレットを用意して、適宜マレットを交換することにより、多様な演奏を楽しむこともできる。さらに、そうであれば、マレットが損傷した場合、鍵盤演奏用履物全体を交換することなく、マレットのみを交換すれば、支障なく木琴等を演奏することができる。逆に、履物本体が損傷した場合、通常のようにマレットを手に持って木琴等を演奏することができる。
【００１１】
　第二考案の足用打楽器は、木琴又は鉄琴の鍵盤と、履物本体の先端に該鍵盤を叩き得るマレットが設けられてなる鍵盤演奏用履物とを備えたことを特徴とする。
【００１２】
　第二考案の足用打楽器は、第一考案の鍵盤演奏用履物と木琴の鍵盤とを組み合わせたものである。この足用打楽器では、履物本体を足で履き、足で履物本体の先端を上下に動かすことにより、履物本体の先端に設けられたマレットを上下に動かすことができる。これにより、足の動きに合わせてマレットが木琴又は鉄琴の鍵盤を叩くため、手を使用することなく、それら木琴又は鉄琴を演奏することができる。
【００１３】
　したがって、第二考案の足用打楽器によっても、足により木琴又は鉄琴を演奏することができる。そのため、この足用打楽器により、１人であっても合奏を楽しむことができる。また、この足用打楽器により、手が不自由な人であっても、手を全く使用することなく木琴又は鉄琴を演奏することができる。
【００１４】
　履物本体及びマレットは、第一考案のこれらと同様のものである。
【００１５】
　第二考案の足用打楽器は、マレットが上下して鍵盤を叩くように鍵盤演奏用履物を揺動可能に支持するフレームを備えていることが好ましい。フレームが鍵盤演奏用履物を揺動可能に支持するのであれば、確実に鍵盤を叩くことができるため、安定した音色を出すことができる。また、フレームが鍵盤演奏用履物を支えるため、木琴又は鉄琴の演奏に際して足の疲れを感じ難い。
【００１６】
　フレームは鍵盤演奏用履物の裏面を支えるだけのものであることが可能である。この場合、人は、鍵盤用履物をフレームに押し付けつつ足を上下させることにより、鍵盤演奏用履物を上下に揺動させることができ、鍵盤を容易に叩くことができる。また、人は、鍵盤用履物をフレームに押し付けつつ足を左右に摺動させることにより、高さの異なる音を出すことができる。
【００１７】
　鍵盤演奏用履物は両側面に貫通する貫通孔を有し、フレームはその貫通孔内に挿通される軸棒を有することが好ましい。これにより、軸棒を中心として鍵盤演奏用履物を上下に揺動させることができ、鍵盤の同一箇所を容易に叩くことができるため、むらのない美しい音色を出すことができる。また、鍵盤演奏用履物を軸棒上で軸方向に摺動させることにより、容易に高さの異なる音を出すことができる。
【００１８】
　また、フレームは鍵盤に着脱可能に設けられていることが好ましい。これにより、鍵盤を取り替えることができ、種々の打楽器の音色を楽しむことができる。また、取り外した鍵盤を通常の鍵盤として使用することもできる。さらに、こうであれば、小型になり、収納も容易になる。
【考案を実施するための最良の形態】
【００１９】
　以下、本考案を具体化した実施例１〜３を図面を参照しつつ説明する。
【実施例１】
【００２０】
　図１に示すように、実施例１の鍵盤演奏用履物４０は第一考案を具体化している。この鍵盤演奏用履物４０は、履物本体４１と、履物本体４１の先端に着脱可能に設けられたマレット４２とからなる。履物本体４１は、上面に足の裏が当接される履物底４１ａと、足の甲を被う甲被４１ｂとからなるサンダルである。マレット４２は、履物本体４１の履物底４１ａの先端から前方に突出する弾性変形可能な軸部４２ｂと、軸部４２ｂの先端に設けられたプラスチック製の球部４２ａとからなる。履物底４１ａの先端部には孔４１ｃが設けられ、この孔４１ｃには円筒状の取付具４３がその一端を履物底４１ａの先端部から突出された状態で接着剤により固定されている。取付具４３の先端側の内部には雌ねじ４３ａが形成されている。他方、マレット４２の軸部４２ｂの後端には雌ねじ４３ａと螺合する雄ねじ４２ｃが形成されている。これら雌ねじ４３ａ及び雄ねじ４２ｃにより、マレット４２は履物本体４１の履物底４１ａに着脱可能になっている。
【００２１】
　この鍵盤演奏用履物４０では、履物底４１ａに足を乗せつつ、甲被４１ｂにつま先を挿入することによって履物本体４１を履き、足の踵を支点としてつま先を上下に動かすことにより、履物底４１ａの先端に設けられたマレット４２を上下に動かすことができる。そのため、木琴又は鉄琴を用意して、足の動きに合わせてマレットがそれら木琴又は鉄琴の鍵盤を叩くようにすれば、手を使用することなくそれら木琴又は鉄琴を演奏することができる。
【００２２】
　したがって、実施例１の鍵盤演奏用履物４０によれば、足により木琴又は鉄琴を演奏することができる。そのため、この鍵盤演奏用履物４０により、１人であっても合奏を楽しむことができる。また、この鍵盤演奏用履物４０により、手が不自由な人であっても、手を全く使用することなく木琴又は鉄琴を演奏することができる。
【００２３】
　また、この鍵盤演奏用履物４０では、マレット４２の軸部４２ｂが弾性変形可能なものである。これにより、少しの足の動きで球部４２ａが上下に大きく動くため、鍵盤を叩きやすい。また、これにより、球部４２ａが鍵盤を弾くように叩くため、非常によい音色を出すことができる。
【００２４】
　さらに、この鍵盤演奏用履物４０では、マレット４２が履物底４１ａに着脱可能に設けられている。このため、履物本体４１からマレット４２を取り外すことにより、鍵盤演奏用履物４０を通常の履物として使用することができる。そして、取り外したマレット４２を手に持って、木琴又は鉄琴を演奏することができる。また、球部４２ａの材質、大きさ等の異なる種々のマレットを用意して、適宜マレットを交換することにより、多様な演奏を楽しむこともできる。さらに、マレット４２が損傷した場合、鍵盤演奏用履物４０全体を交換することなく、マレット４２のみを交換すれば、支障なく木琴等を演奏することができる。逆に、履物本体４１が損傷した場合、通常のようにマレット４２を手に持って木琴等を演奏することができる。
【実施例２】
【００２５】
　実施例２の足用打楽器は第二考案を具体化している。この足用打楽器は、図２に示すように、木琴３０の８本の鍵盤３０ａと、鍵盤演奏用履物１０と、フレーム２０とからなる。鍵盤演奏用履物１０は、履物本体１と、履物本体１の先端に着脱可能に設けられたマレット２とからなる。履物本体１は、上記実施例１の履物本体４０と同様、履物底１ａと、甲被１ｂとからなる。マレット２は、履物底１ａから実施例１と同様に突出する弾性変形可能な軸部２ｂと、軸部２ｂの先端に設けられた木製の球部２ａとからなる。フレーム２０は鍵盤３０ａを囲む四角形状の木枠からなり、鍵盤３０ａの整列方向にある２枚の側板２０ｂの間には軸棒２０ａが水平に固定されている。鍵盤演奏用履物１０の履物底１ａは両側面に貫通する貫通孔１ｃを有し、この貫通孔１ｃ内に軸棒２０ａが摺動可能に挿通されている。各鍵盤３０ａはフレーム２０に自重によって載置され、これによりフレーム２０から着脱可能になっている。
【００２６】
　以上のように構成された足用打楽器では、履物本体１を足で履き、足で履物本体１の先端を上下に動かすことにより、履物本体１の先端に設けられたマレット２を上下に動かすことができる。これにより、足の動きに合わせてマレット２が木琴３０の鍵盤３０ａを叩くため、手を使用することなく、木琴３０を演奏することができる。
【００２７】
　したがって、この足用打楽器によれば、足により木琴３０を演奏することができる。そのため、この足用打楽器により、１人であっても合奏を楽しむことができる。また、この足用打楽器により、手が不自由な人であっても、手を全く使用することなく木琴３０を演奏することができる。
【００２８】
　また、この足用打楽器によれば、フレーム２０が鍵盤演奏用履物１０を揺動可能に支持するため、確実に鍵盤３０ａを叩くことができ、安定した音色を出すことができる。さらに、この足用打楽器では、フレーム２０が鍵盤演奏用履物１０を支えるため、木琴３０の演奏に際して足の疲れを感じ難い。
【００２９】
　さらに、この足用打楽器では、軸棒２０ａを中心として鍵盤演奏用履物１０を上下に揺動させることができるため、鍵盤の同一箇所を叩くことも容易であり、むらのない美しい音色を出すことができる。また、この足用打楽器では、鍵盤演奏用履物１０を軸棒２０ａ上で軸方向に摺動させることにより、容易に高さの異なる音を出すことができる。
【００３０】
　また、この足用打楽器では、フレーム２０が鍵盤３０ａに着脱可能に設けられているため、鍵盤３０ａを取り替えることができ、種々の打楽器の音色を楽しむことができる。また、取り外した鍵盤３０ａを通常の鍵盤として使用することもできる。さらに、これにより、小型になり、収納も容易になる。
【実施例３】
【００３１】
　実施例３の足用打楽器も第二考案を具体化している。この足用打楽器は、図３に示すように、鍵盤演奏用履物４０と、フレーム６０と、図示しない木琴又は鉄琴の鍵盤とからなる。フレーム６０は、２個の架台６１と、１本の軸棒６２と、２個の金具６３とからなる。この足用打楽器では、軸棒６２を金具６３と架台６１との間に挟み、ビスにより金具６３を架台６１に締め付けることにより、軸棒６２が架台６１に固定されている。鍵盤演奏用履物４０は実施例１で使用したものと同一であり、同じ構成については同一の符号を使用し、その説明を省略する。
【００３２】
　以上のように構成された足用打楽器では、履物本体４１を足で履き、履物底４１ａの裏面が軸棒６２に当接するように載せる。そして、足を左右に摺動させつつ履物本体４１の先端を上下に動かすことにより、履物本体４１の先端に設けられたマレット４２を上下に動かすことができる。これにより、足の動きに合わせてマレット４２が木琴又は鉄琴の鍵盤を叩くため、手を使用することなく、木琴又は鉄琴を演奏することができる。
【００３３】
　この足用打楽器では、軸棒６２が架台６１に着脱可能に設けられているため、架台６１を取り替えることができる。このため、高さの異なる種々の架台と交換することが可能である。これにより、老人、子供、足の不自由な人等の様々な演奏者に応じて、それぞれに合った架台を用意することができる。その他の作用及び効果については、実施例２と同様である。
【産業上の利用可能性】
【００３４】
　本考案は、木琴、鉄琴の鍵盤を履物で叩く鍵盤演奏用履物及び足用打楽器に利用可能である。
【図面の簡単な説明】
【００３５】
【図１】実施例１の鍵盤演奏用履物を示す斜視図である。
【図２】実施例２の足用打楽器を示す斜視図である。
【図３】実施例３の足用打楽器を示す斜視図である。
【符号の説明】
【００３６】
　１、４１…履物本体
　１ｃ…貫通孔
　２、４２…マレット
　２ａ、４２ａ…球部
　２ｂ、４２ｂ…軸部
　３０…木琴
　３０ａ…鍵盤
　１０、４０…鍵盤演奏用履物
　２０、６０…フレーム
　２０ａ、６２…軸棒
【図１】
0003100504.tif 000003
【図２】
0003100504.tif 000004
【図３】
0003100504.tif 000005